(57)【要約】【課題】通信機能に電力供給を行わない電源オフ時に移行した場合に、ユーザが通信待機中であるか否かを判別できないことを防止することが可能な表示装置及び表示装置プログラムを提供する。【解決手段】規定時間の間ユーザの入力操作が受け付けられていない場合、省電力状態に移行する。省電力状態に移行する際には、通信待機中であることが表示パネルに表示される（Ｓ２０１）。これによって、省電力状態でも通信は可能であることをユーザに報知することができる。そして、電源がオフされる場合（Ｓ２１０）には、表示パネルの表示が書き換えられる（Ｓ２０９）。これによって、ユーザに電源オフとなったことを報知することができる。【選択図】図５
2011076466.tif 000002
【特許請求の範囲】
【請求項１】
電源からの電力供給が断たれても画像表示が維持される不揮発性表示手段と、
外部機器との間でデータ通信を行う通信手段と、
ユーザの入力操作を受け付ける操作受付手段と、
前記操作受付手段によって受け付けられるユーザの入力操作に応じて、前記不揮発性表示手段に表示される画像の書き換えを行う表示制御手段と、
内部電池からの電力供給を制御する電源制御手段と、
経過時間をカウントする計時手段と、
前記操作受付手段によってユーザの入力操作が受け付けられた場合に、前記計時手段によってカウントされている経過時間をリセットするリセット手段と、
前記計時手段によってカウントされている経過時間が、規定時間を経過したか否かを判断する経過時間判断手段と、
前記経過時間判断手段によって前記規定時間を経過したと判断された場合に、前記電源制御手段によって、前記通信手段が前記外部機器からの接続要求を受信するために必要な電力が供給され、使用していない機能に供給される電力が削減される省電力状態に制御する省電力状態制御手段と、
前記内部電池の電池残量を検出する電池残量検出手段と、
前記電池残量検出手段によって検出された電池残量が閾値よりも小さいか否かを判断する電池残量判断手段と、
前記省電力状態になった後に前記電池残量判断手段によって電池残量が前記閾値よりも小さいと判断された場合に、前記電源制御手段によって前記内部電池からの電力供給が停止される電源オフ状態に制御する電源オフ状態制御手段と、
前記電源オフ状態制御手段によって前記電源オフ状態に制御される場合に、前記不揮発性表示手段に表示されている画像を、別の画像に書き換える通信不能報知手段と
を備えたことを特徴とする表示装置。
【請求項２】
前記省電力状態制御手段によって前記省電力状態に制御されている場合に、前記通信手段によって前記外部機器からの前記接続要求が受信されたか否かを判断する第一接続要求判断手段と、
前記接続要求判断手段によって前記接続要求が受信されたと判断された場合に、前記省電力状態を解除する第一省電力状態解除手段とを備え、
前記通信手段は、外部機器から前記接続要求を受信した場合に、前記接続要求判断手段に所定の信号を出力し、
前記接続要求判断手段は、前記通信手段から前記所定の信号を受信した場合に、前記通信手段によって前記接続要求が受信されたと判断することを特徴とする請求項１に記載の表示装置。
【請求項３】
所定期間ごとに前記省電力状態を解除する第二省電力状態解除手段と、
前記第二省電力解除手段によって前記省電力状態が解除されている場合に、前記通信手段に対して前記外部機器からの前記接続要求を受信したか否かを問い合わせるポーリング手段と、
前記ポーリング手段による問い合わせの結果に基づいて、前記通信手段によって前記接続要求が受信されたか否かを判断する第二接続要求判断手段と
を備え、
前記第二接続要求判断手段において、前記通信手段によって前記接続要求が受信されていないと判断された場合に、前記省電力状態制御手段は、再び省電力状態に制御し、
前記第二接続要求判断手段において、前記通信手段によって前記接続要求が受信されたと判断された場合に、前記通信手段は、前記外部機器との間でデータ通信を行うことを特徴とする請求項１に記載の表示装置。
【請求項４】
前記通信不能報知手段は、
前記電源オフ状態制御手段によって前記電源オフ状態に制御される場合に、前記不揮発性表示手段に表示されている画像を、白色のみの画像に書き換えることを特徴とする請求項１から３のいずれかに記載の表示装置。
【請求項５】
前記省電力状態制御手段によって前記省電力状態に制御される場合に、前記不揮発性表示手段に表示されている画像を、前記表示装置が通信待機中であることを示す画像に書き換える通信可能報知手段を備えたことを特徴とする請求項１から４のいずれかに記載の表示装置。
【請求項６】
電源からの電力供給が断たれても画像表示が維持される不揮発性表示手段と、外部機器との間でデータ通信を行う通信手段と、経過時間をカウントする計時手段とを備えた表示装置に用いられる表示装置プログラムであって、コンピュータを、
ユーザの入力操作を受け付ける操作受付手段と、
前記操作受付手段によって受け付けられるユーザの入力操作に応じて、前記不揮発性表示手段に表示される画像の書き換えを行う表示制御手段と、
内部電池からの電力供給を制御する電源制御手段と、
前記操作受付手段によってユーザの入力操作が受け付けられた場合に、前記計時手段によってカウントされている経過時間をリセットするリセット手段と、
前記計時手段によってカウントされている経過時間が、規定時間を経過したか否かを判断する経過時間判断手段と、
前記経過時間判断手段によって前記規定時間を経過したと判断された場合に、前記電源制御手段によって、前記通信手段が前記外部機器からの接続要求を検知するために必要な電力が供給され、使用していない機能に供給される電力が削減される省電力状態に制御する省電力状態制御手段と、
前記内部電池の電池残量を検出する電池残量検出手段と、
前記電池残量検出手段によって検出された電池残量が閾値よりも小さいか否かを判断する電池残量判断手段と、
前記省電力状態になった後に前記電池残量判断手段によって電池残量が前記閾値よりも小さいと判断された場合に、前記電源制御手段によって前記内部電池からの電力供給が停止される電源オフ状態に制御する電源オフ状態制御手段と、
前記電源オフ状態制御手段によって前記電源オフ状態に制御される場合に、前記不揮発性表示手段に表示されている画像を、別の画像に書き換える通信不能報知手段と
として機能させることを特徴とする表示装置プログラム。
【発明の詳細な説明】
【技術分野】
【０００１】
本発明は、電源からの電力供給が断たれた場合でも画像表示が維持される不揮発性表示部を備えた表示装置、および、その表示装置に用いられる表示装置プログラムに関する。
【背景技術】
【０００２】
従来、コレステリック液晶や電気泳動型表示体等の不揮発性表示体を備えた表示装置が知られている（例えば、特許文献１参照）。また、不揮発性表示体とともに、他の機器との間でデータ通信を行うための通信機能を備えた表示装置が知られている（例えば、特許文献２参照）。
【先行技術文献】
【特許文献】
【０００３】
【特許文献１】特開２００５−１６４６７２号公報
【特許文献２】特開２００８−２６９２８５号公報
【発明の概要】
【発明が解決しようとする課題】
【０００４】
しかしながら、不揮発性表示体を備えた表示装置では、一定時間の間操作されずに放置され自動的に通信機能をオフにした電源オフ時になった場合でも、電源オフ前の通信待機時に表示されている画像は消去されずに維持される。そのため、不揮発性表示体に表示されている画像を閲覧したまま放置し、電源オフに移行した場合、ユーザは表示装置が通信待機中であるか否かを判別できない。つまり、表示装置が電源オフとなった場合には、通信機能も動作停止となるため、表示が維持されていて一見動作可能なように見えていても、実際には他の機器との間でデータ通信を行うことができないという問題があった。
【０００５】
本発明は、上記問題点を解決するためになされたものであり、通信機能に電力供給を行わない電源オフに移行した場合に、ユーザが通信待機中であるか否かを判別できないことを防止することが可能な表示装置及び表示装置プログラムを提供することを目的とする。
【課題を解決するための手段】
【０００６】
本発明の第一の態様にかかる表示装置は、電源からの電力供給が断たれても画像表示が維持される不揮発性表示手段と、外部機器との間でデータ通信を行う通信手段と、ユーザの入力操作を受け付ける操作受付手段と、前記操作受付手段によって受け付けられるユーザの入力操作に応じて、前記不揮発性表示手段に表示される画像の書き換えを行う表示制御手段と、内部電池からの電力供給を制御する電源制御手段と、経過時間をカウントする計時手段と、前記操作受付手段によってユーザの入力操作が受け付けられた場合に、前記計時手段によってカウントされている経過時間をリセットするリセット手段と、前記計時手段によってカウントされている経過時間が、規定時間を経過したか否かを判断する経過時間判断手段と、前記経過時間判断手段によって前記規定時間を経過したと判断された場合に、前記電源制御手段によって、前記通信手段が前記外部機器からの接続要求を検知するために必要な電力が供給され、使用していない機能に供給される電力が削減される省電力状態に制御する省電力状態制御手段と、前記内部電池の電池残量を検出する電池残量検出手段と、前記電池残量検出手段によって検出された電池残量が閾値よりも小さいか否かを判断する電池残量判断手段と、前記省電力状態になった後に前記電池残量判断手段によって電池残量が前記閾値よりも小さいと判断された場合に、前記電源制御手段によって前記内部電池からの電力供給が停止される電源オフ状態に制御する電源オフ状態制御手段と、前記電源オフ状態制御手段によって前記電源オフ状態に制御される場合に、前記不揮発性表示手段に表示されている画像を、別の画像に書き換える通信不能報知手段とを備えている。
【０００７】
電源オフに移行する場合には、通信手段は動作停止となる。このとき、不揮発性表示手段の表示を書き換えることで、ユーザに電源オフとなったことを報知することができる。このため、ユーザは電源オフとなったことを容易に判断することができる。よって、電源オフに移行した場合に、ユーザが通信待機中であるか否かを判別できないことを防止することができる。
【０００８】
前記表示装置は、前記省電力状態制御手段によって前記省電力状態に制御されている場合に、前記通信手段によって前記外部機器からの前記接続要求が受信されたか否かを判断する第一接続要求判断手段と、前記接続要求判断手段によって前記接続要求が受信されたと判断された場合に、前記省電力状態を解除する第一省電力状態解除手段とを備えてもよい。この場合に、前記通信手段は、外部機器から前記接続要求を受信した場合に、前記接続要求判断手段に所定の信号を出力し、前記接続要求判断手段は、前記通信手段から前記所定の信号を受信した場合に、前記通信手段によって前記接続要求が受信されたと判断してもよい。この場合、外部機器からの接続要求が受信された場合に、省電力状態が解除され、外部機器と通信を行うことが可能となる。
【０００９】
前記表示装置は、所定期間ごとに前記省電力状態を解除する第二省電力状態解除手段と、前記第二省電力解除手段によって前記省電力状態が解除されている場合に、前記通信手段に対して前記外部機器からの前記接続要求を受信したか否かを問い合わせるポーリング手段と、前記ポーリング手段による問い合わせの結果に基づいて、前記通信手段によって前記接続要求が受信されたか否かを判断する第二接続要求判断手段とを備えてもよい。この場合に、前記第二接続要求判断手段において、前記通信手段によって前記接続要求が受信されていないと判断された場合に、前記省電力状態制御手段は、再び省電力状態に制御し、前記第二接続要求判断手段において、前記通信手段によって前記接続要求が受信されたと判断された場合に、前記通信手段は、前記外部機器との間でデータ通信を行ってもよい。
【００１０】
この場合、所定期間ごとに省電力状態を解除し、外部機器からの接続要求が受信されたか否かを判断することができる。そして、接続要求がなければ、再び省電力状態に設定される。このため、電池の電力消費を抑えることができ、通信手段の動作時間を長くすることができる。
【００１１】
前記表示装置において、前記通信不能報知手段は、前記電源オフ状態制御手段によって前記電源オフ状態に制御される場合に、前記不揮発性表示手段に表示されている画像を、白色のみの画像に書き換えてもよい。
【００１２】
この場合、不揮発性表示手段の表示を白色にすることができる。つまり、文字等は不揮発性表示手段に表示されない。このため、ユーザは電源オフとなったことを用意に判断することができる。
【００１３】
前記表示手段は、前記省電力状態制御手段によって前記省電力状態に制御される場合に、前記不揮発性表示手段に表示されている画像を、前記表示装置が通信待機中であることを示す画像に書き換える通信可能報知手段を備えてもよい。この場合、省電力状態においても通信可能であることをユーザに報知することができる。
【００１４】
本発明の第二の態様にかかる表示装置プログラムは、電源からの電力供給が断たれても画像表示が維持される不揮発性表示手段と、外部機器との間でデータ通信を行う通信手段と、経過時間をカウントする計時手段とを備えた表示装置に用いられる表示装置プログラムであって、コンピュータを、ユーザの入力操作を受け付ける操作受付手段と、前記操作受付手段によって受け付けられるユーザの入力操作に応じて、前記不揮発性表示手段に表示される画像の書き換えを行う表示制御手段と、内部電池からの電力供給を制御する電源制御手段と、前記操作受付手段によってユーザの入力操作が受け付けられた場合に、前記計時手段によってカウントされている経過時間をリセットするリセット手段と、前記計時手段によってカウントされている経過時間が、規定時間を経過したか否かを判断する経過時間判断手段と、前記経過時間判断手段によって前記規定時間を経過したと判断された場合に、前記電源制御手段によって、前記通信手段が前記外部機器からの接続要求を検知するために必要な電力が供給され、使用していない機能に供給される電力が削減される省電力状態に制御する省電力状態制御手段と、前記内部電池の電池残量を検出する電池残量検出手段と、前記電池残量検出手段によって検出された電池残量が閾値よりも小さいか否かを判断する電池残量判断手段と、前記省電力状態になった後に前記電池残量判断手段によって電池残量が前記閾値よりも小さいと判断された場合に、前記電源制御手段によって前記内部電池からの電力供給が停止される電源オフ状態に制御する電源オフ状態制御手段と、前記電源オフ状態制御手段によって前記電源オフ状態に制御される場合に、前記不揮発性表示手段に表示されている画像を、別の画像に書き換える通信不能報知手段ととして機能させる。
【００１５】
電源オフに移行する場合には、通信手段は動作停止となる。このとき、不揮発性表示手段の表示を書き換えることで、ユーザに電源オフとなったことを報知することができる。このため、ユーザは電源オフとなったことを容易に判断することができる。よって、電源オフに移行した場合に、ユーザが通信待機中であるか否かを判別できないことを防止することができる。
【図面の簡単な説明】
【００１６】
【図１】表示装置１の概要を示す正面図である。
【図２】表示装置１の電気的構成を示すブロック図である。
【図３】ＣＰＵ２１によるメイン処理を示すフローチャートである。
【図４】表示パネル２２に、ドキュメント等が表示された状態の一例を示す表示装置１の正面図である。
【図５】第一の実施形態におけるＣＰＵ２１による省電力処理を示すフローチャートである。
【図６】表示パネル２２に、通信待機中の表示がされた状態の一例を示す表示装置１の正面図である。
【図７】第二の実施形態におけるＣＰＵ２１による省電力処理を示すフローチャートである。
【発明を実施するための形態】
【００１７】
以下、本発明に係る表示装置および表示装置プログラムを具現化した表示装置１について、図面を参照して説明する。なおこれらの図面は、本発明が採用しうる技術的特徴を説明するために用いられるものであり、記載されている表示装置の構成、各種処理のフローチャートなどは、それのみに限定する趣旨ではなく、単なる説明例である。
【００１８】
図１を参照し、表示装置１の概要について説明する。表示装置１は、正面視略長方形状を有している。表示装置１は、略長方形状の表示パネル２２を正面側に備えている。表示パネル２２は、不揮発性の表示素子から構成されている。不揮発性の表示素子は、表示中の像を書き換える場合にのみ電力を必要とし、電力の供給が断たれても表示中の像を保持することが可能であるという特性を有している。表示パネル２２としては、従来周知の様々な不揮発性の表示素子が使用可能である。例えば、マイクロカプセル方式や電気泳動式等の不揮発性の表示素子が使用可能である。なお、図１に示す表示装置１は、表示パネル２２に白色のみの画面が表示されている。
【００１９】
表示装置１は、表示パネル２２の右側に、上下方向に並んだ複数の選択ボタン１５を備えている。選択ボタン１５は、表示パネル２２のうち選択ボタン１５の左側部分に表示される選択メニューのうちいずれかを選択する場合に使用される。
【００２０】
表示装置１は、選択ボタン１５の右側に、電源スイッチ３３と設定ボタン１３と操作ボタン１４とを備えている。上から順に、電源スイッチ３３、設定ボタン１３、操作ボタン１４の順で並んでいる。電源スイッチ３３は、表示装置１の電源のＯＮ／ＯＦＦを切り替える場合に、ユーザによって押下される。設定ボタン１３と操作ボタン１４とは、表示パネル２２上に表示される表示データに対する設定や操作等を行う場合に、ユーザによって押下される。
【００２１】
表示装置１は、内部に電池３１（図２参照）を備えている。表示装置１は、電池３１を電源として動作する。電池３１としては、電池であれば特段限定されず、従来周知の電池が使用可能である。例えば、リチウムイオン電池やニッケル水素電池等が使用可能である。
【００２２】
表示装置１は、アンテナ４０（図２参照）を備えている。表示装置１は、アンテナ４０を介して外部機器と無線通信することができる。なお、外部機器は、通信可能な機器であり、例えば、他の表示装置等である。表示装置１は、外部機器とデータ通信を行い、例えば画像等のデータを送受信することができる。
【００２３】
図２を参照し、表示装置１の電気的構成について説明する。表示装置１は、ＣＰＵ２１とＲＯＭ２４とＲＡＭ２５とを備えている。ＣＰＵ２１は、表示パネル２２の表示制御等を司る。
【００２４】
ＲＯＭ２４は、プログラム記憶領域２４１とその他の情報記憶領域２４４とを少なくとも備えている。プログラム記憶領域２４１には、ＣＰＵ２１が各種の処理等を実行するために必要なプログラムデータが記憶されている。ＣＰＵ２１はＲＯＭ２４と電気的に接続されている。ＣＰＵ２１は、ＲＯＭ２４の記憶領域にアクセスできる。
【００２５】
また、ＲＡＭ２５は、タイマ値記憶領域２５１と電池電圧記憶領域２５２と温度記憶領域２５３とその他の情報記憶領域２５４とを少なくとも備えている。タイマ値記憶領域２５１には、後述するタイマ値が記憶される。また、電池電圧記憶領域２５２には、後述する電池３１の電圧が記憶される。また、温度記憶領域２５３には、後述する表示装置１の温度が記憶される。ＣＰＵ２１はＲＡＭ２５と電気的に接続されている。ＣＰＵ２１は、ＲＡＭ２５の記憶領域にアクセスできる。
【００２６】
表示装置１は、メモリカードスロット２６を備えている。メモリカードスロット２６には、メモリカード３５が挿入される。メモリカード３５は、表示データ記憶領域３５１を少なくとも備えている。表示データ記憶領域３５１には、表示パネル２２に表示させる表示データが記憶される。ＣＰＵ２１はメモリカードスロット２６を介してメモリカード３５と電気的に接続する。ＣＰＵ２１は、メモリカード３５の記憶領域にアクセスできる。
【００２７】
表示装置１は、表示パネル２２と表示制御部２３とを備えている。表示制御部２３は、表示パネル２２の駆動制御を行う。ＣＰＵ２１は表示制御部２３と電気的に接続する。表示制御部２３は表示パネル２２と接続する。ＣＰＵ２１は、表示制御部２３を介して表示パネル２２に所望の像を表示させることができる。
【００２８】
表示装置１は、電源スイッチ３３を備えている。ＣＰＵ２１は電源スイッチ３３と電気的に接続する。ＣＰＵ２１は、ユーザによって電源スイッチ３３が押下されたことを検出できる。表示装置１は、選択ボタン１５と設定ボタン１３と操作ボタン１４（以下、これらを総称して「入力部３４」という。）とを備えている。ＣＰＵ２１は入力部３４と電気的に接続する。ＣＰＵ２１は、ユーザによって入力部３４が操作されたことを検出できる。
【００２９】
表示装置１は、電池３１と電源制御部３０とを備えている。ＣＰＵ２１は、電源制御部３０と接続される。電池３１は電源制御部３０と接続される。電池３１及び電源制御部３０は、表示装置１が動作するために必要な電力を供給する。なお、図示しないが、表示装置１には、ＵＳＢ（Ｕｎｉｖｅｒｓａｌ  Ｓｅｒｉａｌ  Ｂｕｓ）ケーブルが接続されるＵＳＢコネクタとＡＣアダプタが接続されるＡＣコネクタが設けられている。また、電池３１の充電を行う充電回路が設けられている。充電回路は、ＵＳＢコネクタ又はＡＣコネクタから供給される電流により、電池３１を充電することができる。
【００３０】
表示装置１は、電圧検出回路３２を備えている。電圧検出回路３２は、電池３１の電圧を検出する。電圧検出回路３２では、電池３１の電圧が抵抗等によって分圧される。分圧された電圧がＡ／Ｄコンバータによってデジタル信号に変換される。ＣＰＵ２１は、Ａ／Ｄコンバータによって変換されたデジタル信号を検出することによって、電池３１の電圧を検出する。電圧検出回路３２は、ＣＰＵ２１と電気的に接続する。電池３１は、電圧検出回路３２と接続する。
【００３１】
表示装置１は、温度検出回路３６とサーミスタ３７を備えている。表示装置１の温度の変化によって、サーミスタ３７の抵抗値が変化する。温度検出回路３６では、サーミスタ３７の抵抗値の変化を電圧の変化に変換し、この電圧をＡ／Ｄコンバータによってデジタル信号に変換する。ＣＰＵ２１は、Ａ／Ｄコンバータによって変換されたデジタル信号を検出することによって、表示装置１の温度を検出する。温度検出回路３６は、ＣＰＵ２１と電気的に接続する。サーミスタ３７は、温度検出回路３６と接続する。なお、サーミスタ３７を使用して温度を検出することは例示であり、その他の温度の検出方法を用いても良い
【００３２】
表示装置１は、タイマ３８を備えている。ＣＰＵ２１はタイマ３８と接続される。タイマ３８は時間を計測し、計測された時間は、ＣＰＵ２１によって認識される。
【００３３】
表示装置１は、アンテナ４０と通信部３９とを備えている。アンテナ４０は、通信部３９と電気的に接続する。通信部３９は、ＣＰＵ２１と電気的に接続する。通信部３９は、例えば、ブルートゥースモジュール等の通信モジュールを備えている。ＣＰＵ２１は、通信部３９とアンテナ４０とを介して、外部機器とデータ通信を行うことができる。
【００３４】
次に、図３に示すフローチャートを参照して、本実施形態の表示装置１が行うメイン処理について説明する。メイン処理は、ＲＯＭ２４１のプログラム記憶領域２４１に記憶されているプログラムに従ってＣＰＵ２１が実行する。
【００３５】
図３に示すように、まず、各種のデータが初期化される（Ｓ１０１）。Ｓ１０１の処理では、例えば、タイマ３８によって計測される時間がリセットされ、「０」に設定される。次いで、全ての機能が動作可能な状態（以下、「通常状態」という）に設定される（Ｓ１０２）。Ｓ１０２の処理では、例えば、通信部３９とアンテナ４０とが、外部機器から送信される接続要求を受信できるように設定される。また、その他の機能も動作可能な状態に設定される。次いで、ユーザによって入力部３４（図２参照）が操作されたか否かが判断される（Ｓ１０３）。ユーザによって入力部３４が操作されていない場合には（Ｓ１０３：ＮＯ）、次いで、外部機器からの接続要求が受信されたか否かが判断される（Ｓ１０４）。接続要求が受信されていない場合には（Ｓ１０４：ＮＯ）、次いで、タイマ３８によって時間が計測されているか否かが判断される（Ｓ１０５）。タイマ３８によって時間が計測されていない場合には（Ｓ１０５：ＮＯ）、次いで、表示装置１は、タイマ３８による時間の測定を開始する（Ｓ１０６）。タイマ３８によって計測される時間をタイマ値という。なお、タイマ値は、タイマ値記憶領域２５１に記憶される。次いで、処理はＳ１０３に戻る。
【００３６】
タイマ３８が時間を計測している場合には（Ｓ１０５：ＹＥＳ）、次いで、タイマ３８によって計測されてタイマ値記憶領域２５１に記憶された時間が、規定時間以上か否かが判断される（Ｓ１０７）。規定時間は、例えば、１５分である。なお、規定時間は、任意に設定することが可能である。タイマ３８によって計測された時間が、規定時間以上でない場合には（Ｓ１０７：ＮＯ）、処理はＳ１０３に戻る。つまり、表示装置１は、入力部が操作されず（Ｓ１０３：ＮＯ）、接続要求が受信されておらず（Ｓ１０４：ＮＯ）、経過時間が規定時間より小さい場合には（Ｓ１０７：ＮＯ）、通常状態を保っている。
【００３７】
ユーザによって入力部３４が操作された場合には（Ｓ１０３：ＹＥＳ）、続いて、タイマ３８による時間の計測が停止される（Ｓ１０８）。次いで、タイマ値記憶領域２５１に記憶されているタイマ値が「０」にリセットされる（Ｓ１０９）。次いで、表示パネル２２が書き換えられる（Ｓ１１０）。Ｓ１１０の処理では、ユーザが押下した入力部３４に応じて、ＣＰＵ２１が、表示制御部２３を制御して、表示パネル２２を書き換える。なお、ＣＰＵ２１が、表示パネル２２を書き換える場合には、例えば、メモリカードスロット２６に挿入されたメモリカード３５の表示データ記憶領域３５１に記憶されている表示データ等を選択して、表示パネル２２に表示する。次いで、処理は、Ｓ１０３に戻る。
【００３８】
Ｓ１１０の処理によって、画面が書き換えられた場合の表示の一例を図４に示す。図４に示すように、表示パネル２２には、ドキュメントや図面等が表示される。
【００３９】
外部機器からの接続要求が受信された場合には（Ｓ１０４：ＹＥＳ）、次いで、表示装置１は、外部機器との通信を開始する（Ｓ１１１）。これによって、表示装置１は、外部機器との間でデータ等を送受信することができる。
【００４０】
次いで、通信が終了したか否かが判断される（Ｓ１１２）。通信が終了していない場合には（Ｓ１１２：ＮＯ）、処理は、Ｓ１１２に戻る。つまり、表示装置１は、通信を継続する。通信が終了した場合には（Ｓ１１２：ＹＥＳ）、次いで、タイマ３８による時間の計測が停止される（Ｓ１１３）。次いで、タイマ値記憶領域２５１に記憶されているタイマ値が「０」にリセットされる（Ｓ１１４）。次いで、処理は、Ｓ１０３に戻る。
【００４１】
Ｓ１０７の処理によって、タイマ３８によって計測された時間が、規定時間以上であると判断された場合には（Ｓ１０７：ＹＥＳ）、次いで、省電力処理が実行される（Ｓ１１５）。タイマ３８によって計測されている時間は、ユーザによって入力部が操作された場合や、外部機器からの接続要求が受信された場合に、リセットされる（Ｓ１０８及びＳ１１４参照）。つまり、タイマ３８によって計測されている時間が、規定時間以上になる場合とは、規定時間以上になるまで、ユーザによる入力部の操作が行われず、外部機器からの接続要求が受信されていない場合である。この場合に、通常状態を保っていると、使用していない機能にも電力を供給しているため、電力消費が大きい。このため、通信可能な状態を長時間保つことができない。省電力処理を実行することによって、使用していない機能の消費電力を削減して、通信可能な状態を長時間保つことができる。また、電池３１の電圧が少なくなった場合などに電源をオフする場合には、ユーザに電源がオフされたことを報知することができる状態に設定することができる。
【００４２】
図５を参照して、省電力処理について詳細に説明する。図５に示す省電力処理では、まず、表示パネル２２に、通信待機中であることが表示される（Ｓ２０１）。次に、表示装置１は、使用していない機能への電力供給を削減した省電力状態に設定される（Ｓ２０２）。省電力状態に設定するために、Ｓ２０２の処理では、例えば、電源制御部３０によって、表示パネル２２、表示制御部２３、メモリカード２５への電源の供給が停止される。また、ＲＯＭ２４とＲＡＭ２５とは、セルフリフレッシュ等の記憶内容保持のために必要な電力を確保した上で、消費する電力が少ない状態に設定される。また、電源制御部３０は、電力損失の少ない設定に変更される。そして、ＣＰＵ２１を動作させるためのクロックを生成している発振素子が、より消費電力の小さい発振素子に変更される。これによって、電池３１及び電源制御部３０から供給される電力が削減される。なお、通信部３９とアンテナ４０とは、引き続き外部機器からの接続要求を受信できるように設定され、電力が供給される。そして、通信部３９は、接続要求が受信された場合には、ＣＰＵ２１に対して割り込み要求信号を送信するように設定される。これによって、ＣＰＵ２１は、省電力状態においても外部機器からの接続要求を検知することができる。なお、Ｓ２０２の処理における省電力状態の設定は、例示であり、これに限定されない。
【００４３】
Ｓ２０１の処理によって、通信待機中であることが表示された表示装置１の一例を図６に示す。図６に示すように、表示パネル２２には、「通信待機中」と表示されている。これによって、ユーザに、省電力状態であっても通信機能は待機していることを報知することができる。なお、「通信待機中」という表示は、例示であり、任意に変更可能である。また、Ｓ２０２の処理によって、表示パネル２２への電力供給は停止されている。しかし、表示パネル２２は、不揮発性の表示素子であるので、電力供給が停止されても、表示パネル２２の表示は、表示されたままである。
【００４４】
次いで、電池３１の電圧が検出される（Ｓ２０３）。Ｓ２０３の処理において、ＣＰＵ２１は、電圧検出回路を介して、電池３１の電圧を検出する。検出された電圧は、電池電圧記憶領域２５２に記憶される。次いで、Ｓ２０３の処理で検出されて電池電圧記憶領域２５２に記憶された電池３１の電圧が所定電圧以下か否かが判断される（Ｓ２０４）。所定電圧は、表示装置１を動作させる最低の電圧に設定されている。そして、電池３１の電圧が所定電圧以下であれば、後述するＳ２１０の処理によって、表示装置１の電源がオフされる。所定電圧は、例えば、３．５Ｖ等の値をしている。所定電圧は、任意に設定することが可能である。
【００４５】
電池３１の電圧が所定電圧以下ではない場合には（Ｓ２０４：ＮＯ）、続いて、表示装置１の温度が検出される（Ｓ２０５）。Ｓ２０５において、ＣＰＵ２１は、サーミスタ３７と温度検出回路３６とを介して、表示装置１の温度を検出する。検出された温度は、温度記憶領域２５３に記憶される。次いで、Ｓ２０５の処理で検出されて温度記憶領域２５３に記憶された表示装置１の温度が、所定温度以上か否かが判断される（Ｓ２０６）。所定温度は、表示装置１を動作させる最高の温度に設定されている。そして、表示装置１の温度が所定温度以上であれば、後述するＳ２１０の処理によって、表示装置１の電源がオフされる。これによって、例えば、表示装置１の温度が高温になることによって表示パネル２２に所謂焼きつきが発生することを防止することができる。所定温度は、例えば、５０℃等の値に設定されている。所定温度は、任意に設定することが可能である。
【００４６】
表示装置１の温度が所定温度以上ではない場合には（Ｓ２０６：ＮＯ）、次いで、外部機器からの接続要求があるか否かが判断される（Ｓ２０７）。外部機器からの接続要求があった場合、通信部３９は、アンテナ４０を介して接続要求を受信する。そして、通信部３９は、ＣＰＵ２１に対して、割り込み要求信号を送信する。Ｓ２０７の処理では、通信部３９から割り込み要求信号が送信されたか否かを判断することによって、外部機器からの接続要求があるか否かが判断される。外部機器からの接続要求がない場合には（Ｓ２０７：ＮＯ）、次いで、処理は、Ｓ２０３に戻る。つまり、表示装置１は、省電力状態を継続する。
【００４７】
外部機器からの接続要求がある場合には、（Ｓ２０７：ＹＥＳ）、省電力状態が解除される（Ｓ２０８）。Ｓ２０８の処理では、表示装置１は、通常状態と同じ設定に復帰する。次いで、省電力処理を終了し、図３に示すメイン処理に戻る。次いで処理は、Ｓ１０４に戻る。なお、Ｓ２０７の処理で、外部機器からの接続要求があることが確認されているので、Ｓ１０４の処理によって、外部機器からの接続要求が受信されたと判断される（Ｓ１０４：ＹＥＳ）。そして、表示装置１は、外部機器との通信を行う（Ｓ１１１及びＳ１１２）。
【００４８】
図５において、Ｓ２０４の処理によって、電池３１の電圧が所定電圧以下であると判断された場合には（Ｓ２０４：ＹＥＳ）、次いで、表示パネル２２の表示が白色のみに書き換えられる（Ｓ２０９）。例えば、図６に示すように、表示パネル２２にドキュメントや図面等が表示されている場合において、Ｓ２０９の処理が実行されると、図１に示すように、表示パネル２２に文字や図面等が消去され、白色のみの画面が表示される。
【００４９】
なお、Ｓ２０６の処理によって、表示装置１の温度が所定温度以上であると判断された場合にも（Ｓ２０６：ＹＥＳ）、Ｓ２０９の処理が行われる。次いで、表示装置１の電源がオフされる（Ｓ２１０）。そして、ＣＰＵ２１による処理が終了される。なお、電源がオフされた状態は、表示装置１への電力供給が完全に停止された状態に限られない。例えば、ＣＰＵ２１をスリープモードにするなど、一部の機能を動作させることが可能なように電力の供給が行われていてもよい。
【００５０】
以上説明したように、第一の実施形態における処理が実行される。仮にＳ２０９の処理（図５参照）を行わない場合は、表示パネル２２が不揮発性の素子なので、電源がオフされても、図６に示すような画面の表示が維持される。しかし、表示装置１が電源オフとなった場合には、通信機能も動作停止となる。このため、表示が維持されていて動作可能なように見えていても、実際には他の機器との間でデータ通信を行うことができない。つまり、ユーザが通信待機中であるか否かを判別できないおそれがある。
【００５１】
本実施形態の場合、電源がオフされる場合には、Ｓ２０９の処理（図５参照）によって、表示パネル２２の表示が白色のみに書き換えられている。このため、図１に示すように表示パネル２２には、文字等が表示されない。これによって、ユーザに電源オフとなったことを報知することができる。このため、ユーザは電源オフとなったことを容易に判断することができる。よって、電源オフに移行した場合に、ユーザが通信待機中であるか否かを判別できないことを防止することができる。また、画面を白色のみにすることで、所謂焼きつきが発生することを防止することができる。
【００５２】
また、規定時間が経過した場合には、省電力状態に設定されるので、消費電力を抑えることができる。また、省電力状態においても外部機器からの接続要求を検知することができる。このため、通信を行うことができる。また、通信機能の動作時間を長くすることができる。
【００５３】
Ｓ２０１の処理によって、通信待機中であることが表示パネル２２に表示される。これによって、ユーザに、省電力状態であっても通信可能であることを報知することができる。
【００５４】
次に、図７を参照して第二の実施形態について説明する。第二の実施形態は、第一の実施形態における省電力処理（図５参照）を変形した例である。第二の実施形態は、ポーリングによって、接続要求があるか否かの問い合わせが行われる例である。なお、第二の実施形態におけるメイン処理は、図３に示すフローチャートと同様なので、説明は省略する。また、図７において、図５に示す第一の実施形態における省電力処理と同様の処理は、同じステップ番号で表し、説明は省略する。
【００５５】
図７に示す第二の実施形態における省電力処理では、まず、表示パネル２２に、通信待機中であることが表示される（Ｓ２０１）。次いで、電池３１の電圧が検出される（Ｓ２０３）。次いで、Ｓ２０３の処理で検出された電池３１の電圧が所定電圧以下か否かが判断される（Ｓ２０４）。電池３１の電圧が所定電圧以下ではない場合には（Ｓ２０４：ＮＯ）、続いて、表示装置１の温度が検出される（Ｓ２０５）。次いで、Ｓ２０５の処理で検出された表示装置１の温度が、所定温度以上か否かが判断される（Ｓ２０６）。なお、Ｓ２０１及びＳ２０３〜Ｓ２０６の処理は、図５に示す第一の実施形態における省電力処理と同様なので、詳細の説明は省略する。
【００５６】
表示装置１の温度が所定温度以上ではない場合には（Ｓ２０６：ＮＯ）、次いで、タイマ３８を、所定時間が経過した場合にＣＰＵ２１に信号（以後、「復帰信号」という。）を送信するように設定する（Ｓ２１１）。これによって、タイマ３８は、新たに計時を開始し、所定時間が経過すると、ＣＰＵ２１に復帰信号を送信する。なお、所定時間は、例えば、５分である。なお、所定時間は任意に設定することが可能である。
【００５７】
次に、省電力状態に設定される（Ｓ２０２）。次に、タイマ３８から送信される復帰信号が受信されたか否かが判断される（Ｓ２１２）。復帰信号が受信されていない場合には（Ｓ２１２：ＮＯ）、処理は、Ｓ２１２に戻る。つまり、表示装置１は、省電力状態を継続する。タイマ３８から送信される復帰信号が受信された場合には（Ｓ２１２：ＹＥＳ）、省電力状態が解除される（Ｓ２０８）。これによって、表示装置１は、通常状態と同じ設定に復帰する。つまり、Ｓ２１１で設定された所定時間の間、表示装置１は、省電力状態を継続し、所定時間が経過したら、通常状態と同じ設定に復帰する。
【００５８】
次いで、ＣＰＵ２１は、通信部３９に対して、外部機器からの接続要求が受信されたか否かを問い合わせる（Ｓ２１３）。次いで、Ｓ２１３の処理による問い合わせの結果、外部機器からの接続要求が受信されているか否かが判断される（Ｓ２１４）。接続要求が受信されていない場合には（Ｓ２１４：ＮＯ）、続いて、処理は、Ｓ２０３に戻る。つまり、所定時間ごとに、省電力状態から復帰して（Ｓ２０８参照）、接続要求が受信されたか否かを問い合わせ（Ｓ２１３参照）、電圧と温度を検出し（Ｓ２０３及びＳ２０５参照）、再び省電力状態に戻る。このように、処理することによって、所謂ポーリングが実行される。
【００５９】
接続要求が受信された場合には（Ｓ２１４：ＹＥＳ）、続いて、省電力処理を終了し、図３に示すメイン処理に戻る。次いで処理は、Ｓ１０４に戻る。なお、Ｓ２１４の処理で、外部機器からの接続要求があることが確認されているので、Ｓ１０４の処理によって、外部機器からの接続要求が受信されたと判断される（Ｓ１０４：ＹＥＳ）。そして、表示装置１は、外部機器との通信を行う（Ｓ１１１及びＳ１１２）。
【００６０】
図７において、Ｓ２０４の処理によって、電池３１の電圧が所定電圧以下であると判断された場合には（Ｓ２０４：ＹＥＳ）、次いで、表示パネル２２の表示が白色のみに書き換えられる（Ｓ２０９）。なお、Ｓ２０６の処理によって、表示装置１の温度が所定温度以上であると判断された場合にも（Ｓ２０６：ＹＥＳ）、Ｓ２０９の処理が行われる。次いで、表示装置１の電源がオフされる（Ｓ２１０）。そして、ＣＰＵ２１による処理が終了される。Ｓ２０９の処理によって、表示パネル２２の表示が白色のみに書き換えられているため、表示パネル２２には、文字等が表示されない。これによって、ユーザに電源オフとなったことを報知することができる。このため、ユーザは電源オフとなったことを容易に判断することができる。よって、電源オフに移行した場合に、ユーザが通信待機中であるか否かを判別できないことを防止することができる。
【００６１】
以上説明したように、第二の実施形態における処理が行われる。第二の実施形態における省電力処理では、所定時間ごとに省電力状態を解除し（Ｓ２０８）、通信部３９に接続要求があるか否かを問い合わせ（Ｓ２１３）、外部機器からの接続要求が受信されたか否かを判断する（Ｓ２１４）。そして、接続要求がなければ（Ｓ２１４：ＮＯ）、所定時間が経過した場合にＣＰＵ２１に復帰信号を送信するようにタイマ３８が設定される（Ｓ２１１）。そして、再び省電力状態に設定される（Ｓ２０２）。このように、所定時間ごとに、外部機器からの接続要求があるか否かを確認するため、省電力状態に設定されている間は、電池３１の電力消費を抑えることができる。このため、通信機能の動作時間を長くすることができる。
【００６２】
なお、表示パネル２２が本発明の「不揮発性表示手段」に相当し、アンテナ４０と通信部３９とが本発明の「通信手段」に相当する。また、図３のＳ１０３の処理を行うＣＰＵ２１が本発明の「操作受付手段」に相当し、図３のＳ１１０の処理を行うＣＰＵ２１が本発明の「表示制御手段」に相当する。タイマ３８が本発明の「計時手段」に相当し、図３のＳ１０９の処理を行うＣＰＵ２１が本発明の「リセット手段」に相当する。また、図３のＳ１０７の処理を行うＣＰＵ２１が本発明の「経過時間判断手段」に相当し、図５及び図７のＳ２０２の処理を行うＣＰＵ２１が本発明の「省電力状態制御手段」に相当する。また、図５及び図７のＳ２０１の処理を行うＣＰＵ２１が本発明の「通信可能報知手段」に相当し、図５及び図７のＳ２０３の処理を行うＣＰＵ２１が本発明の「電池残量検出手段」に相当する。
【００６３】
また、図５及び図７のＳ２０４の処理を行うＣＰＵ２１が本発明の「電池残量判断手段」に相当する。また、図５及び図７のＳ２０４の処理を行うＣＰＵ２１が本発明の「電池残量判断手段」に相当し、図５及び図７のＳ２１０の処理を行うＣＰＵ２１が本発明の「電源オフ状態制御手段」に相当し、図５及び図７のＳ２０９の処理を行うＣＰＵ２１が本発明の「通信不能報知手段」に相当する。また、図５のＳ２０７の処理を行うＣＰＵ２１が本発明の「第一接続要求判断手段」に相当し、図５のＳ２０８の処理を行うＣＰＵ２１が本発明の「第一省電力状態解除手段」に相当する。また、図７のＳ２０８の処理を行うＣＰＵ２１が本発明の「第二省電力解除手段」に相当し、図７のＳ２１３の処理を行うＣＰＵ２１が本発明の「ポーリング手段」に相当する。また、図７のＳ２１４の処理を行うＣＰＵ２１が反発明の「第二接続要求手段」に相当する。
【００６４】
なお、本発明は上記実施の形態に限定されるものではなく、種々の変更が可能である。例えば、上述の実施の形態では、図５のＳ２０１の処理において、表示パネル２２に通信待機中であることが表示されていたが、これに限定されない。例えば、表示装置１にＬＥＤによって点灯する部分を設け、ＬＥＤの点灯パターン等によって、通信待機中であることをユーザに報知してもよい。
【００６５】
また、省電力状態に設定されている場合において、通信を行う際には、通常状態に復帰していたが、これに限定されない。例えば、省電力状態に設定されている場合において、通信を行う際には、通信を行うために必要な構成にのみ電力を供給し、その他の機能を動作させる構成は、省電力状態を保ってもよい。これによって、さらに通信機能の動作時間を長くすることができる。
【００６６】
また、電源がオフされる場合には、Ｓ２０９の処理（図５参照）によって、表示パネル２２の表示が白色のみに書き換えられていたが、これに限定されない。例えば、黒色のみの画面に書き換えてもよいし、画面に「電源オフしました」と表示してもよい。このようにしても、ユーザに電源オフとなったことを報知することができる。このため、ユーザは電源オフとなったことを容易に判断することができる。よって、電源オフに移行した場合に、ユーザが通信待機中であるか否かを判別できないことを防止することができる。
【符号の説明】
【００６７】
１    表示装置
２１    ＣＰＵ
２２    表示パネル
２３    表示制御部
３０    電源制御部
３１    電池
３２    電圧検出回路
３４    入力部
３６    温度検出回路
３７    サーミスタ
３８    タイマ
３９    通信部
４０    アンテナ
【図１】
2011076466.tif 000003
【図２】
2011076466.tif 000004
【図３】
2011076466.tif 000005
【図４】
2011076466.tif 000006
【図５】
2011076466.tif 000007
【図６】
2011076466.tif 000008
【図７】
2011076466.tif 000009